(57)【特許請求の範囲】
【請求項１】
トンネル等の空間を対象としてその空間内部での通風を遮断するための通風遮断シート装置であって、
可撓性を有するシートにより形成された遮断シート本体と、
可撓性を有するシートにより内部に空気充填空間を有するように形成され、前記遮断シート本体の周縁に周設され、前記空気充填空間に空気を導入する空気出入口を有し、膨張して対象物の内面に密着する本体展張部と、
前記本体展張部の両端にそれぞれ設けられて対象物内面に密着可能な固定基板とを備えることを特徴とする通風遮断シート装置。
【請求項２】
前記空気出入口には、空気充填空間内の圧力を維持する圧力維持手段が接続されていることを特徴とする請求項１記載の通風遮断シート装置。
【請求項３】
前記固定基板の表面にはゴム板が取り付けられていることを特徴とする請求項１または２記載の通風遮断シート装置。
【請求項４】
円形断面のトンネル内の底部において内側に張り出すように設けられている段部の側面に密着して作業員が通過可能かつシートにより閉鎖可能な通路ボックスが設置され、前記本体展張部がトンネルの内面に密着しかつ前記固定基板が前記段部の上面および前記通路ボックスの側面にそれぞれ密着した状態で設置される構成とされていることを特徴とする請求項１，２または３記載の通風遮断シート装置。
【発明の詳細な説明】
【０００１】
【発明の属する技術分野】
本発明は、トンネル等の空間の通風遮断を行なう通風遮断シート装置に関する。
【０００２】
【従来の技術】
例えば、シールドトンネルの二次覆工に際しては、二次覆工体のコンクリート打設後の養生は、その品質確保のために重要な要素である。この養生は、一日から二日に渡る場合が常であり、この養生期間にコンクリート表面の温度、湿度とコンクリート内部の温度、湿度とに大きな差が生じると、ひび割れを起こす場合がある。
【０００３】
そのため、従来、この養生期間には、トンネルの坑口や中間部にトンネル内の通風を遮断する通風遮断シートを設置している。この通風遮断シートにより通風を遮断すると、通風によるコンクリート表面の温度、湿度の低下を防止することができるので、コンクリート表面と内部との温度、湿度の差を小さく保つことができ、ひび割れを防止できる。
【０００４】
そのような通風遮断シートとしては、従来、単管、鋼製アングル材等を組んで形成された壁状のフレームと、そのフレームに張り付けられた通風遮断シート本体とからなるものが用いられている。
【０００５】
【発明が解決しようとする課題】
しかし、そのような通風遮断シートでは、トンネル断面が大断面の場合には、そのフレームの建て込み及びフレームへの通風遮断シート本体の張り付けの際に大掛かりな足場を設けなければならないので、施工に手間がかかる。また、撤去も同様にして煩雑となる。更に、トンネル断面が大断面となると、通風の風圧も大きくなるので、通風遮断シートの周囲からの吹き抜けを遮断することが難しくなるという問題がある。
【０００６】
本発明は、上記事情に鑑み、遮断断面積が大きくとも容易且つ迅速に施工及び撤去することができ、通風の遮断性能の向上を図ることができる通風遮断シート装置を提供することを目的としている。
【０００７】
【課題を解決するための手段】
請求項１記載の発明は、トンネル等の空間を対象としてその空間内部での通風を遮断するための通風遮断シート装置であって、可撓性を有するシートにより形成された遮断シート本体と、可撓性を有するシートにより内部に空気充填空間を有するように形成され、前記遮断シート本体の周縁に周設され、前記空気充填空間に空気を導入する空気出入口を有し、膨張して対象物の内面に密着する本体展張部と、前記本体展張部の両端にそれぞれ設けられて対象物内面に密着可能な固定基板とを備えることを特徴とする。即ち、対象物の内面に固定基板を密着させて、本体展張部の空気充填空間に空気出入口を通じて空気を充填すると、遮断シート本体の周縁に周設された本体展張部が膨張され展開されて対象物内面に密着し、同時にこの本体展張部により遮断シート本体が展張され（即ち展開されて張られ）、対象物内部での通風がその位置で遮断される。また、本体展張部の空気充填空間から空気を抜くと、本体展張部が収縮されて、遮断シート本体が折り畳まれる。
【０００８】
請求項２記載の発明は、請求項１記載の発明において、空気出入口には、空気充填空間内の圧力を維持する圧力維持手段が接続されていることを特徴とする。即ち、本体展張部の膨張が維持される。
請求項３記載の発明は、請求項１または２記載の発明において、前記固定基板の表面にはゴム板が取り付けられていることを特徴とする。即ち、固定基板を対象物内面に密着させることによりゴム板により自ずと滑りが防止されかつ気密性が十分に確保される。
請求項４記載の発明は、請求項１，２または３記載の発明において、円形断面のトンネル内の底部において内側に張り出すように設けられている段部の側面に密着して作業員が通過可能かつシートにより閉鎖可能な通路ボックスが設置され、前記本体展張部がトンネルの内面に密着しかつ前記固定基板が前記段部の上面および前記通路ボックスの側面にそれぞれ密着した状態で設置される構成とされていることを特徴とする。即ち、単純な円形断面ではないトンネルを対象物とする場合であっても、トンネル内面全体を確実に通風遮断することができ、かつ通路ボックスにより通路を支障なく確保できる。
【０００９】
【発明の実施の形態】
以下、本発明の一実施形態を図面に基づき説明する。
本実施形態では、図２に示すように、通風を遮断しようとするトンネル１は、ほぼ円形断面のトンネル本体２と、トンネル本体２内の左側面下部に形成され、内部にトンネル軸線方向（図２紙面に直交する方向）に延在する流通路を有する段部３とからなっている。従って、トンネル１の内面は、トンネル本体２の内面２ａと、段部３の上面３ａ及び側面３ｂとからなっている。
【００１０】
図１に示すように、このトンネル１の通風遮断位置Ｐ１には、通風遮断シート装置１００が設けられている。
【００１１】
通風遮断シート装置１００は、図２に示すように、左下部（図２左下部）が切り欠かれた欠けた円形の遮断シート本体１０と、遮断シート本体１０の周縁に周設され、内部に遮断シート本体１０の周縁に沿って延在する空気充填空間Ｓ１を有する筒状の本体展張部２０と、本体展張部２０の両端に設けられた固定基板２７、２８と、トンネル本体２の内面２ａの底面及び段部３の側面３ｂに密着固定された下通路ボックス３０と、本体展張部２０の空気充填空間Ｓ１に空気を圧入してその内圧を維持する圧力維持手段としての圧力維持用空気圧入機４０（コンプレッサー）とからなっている。
【００１２】
遮断シート本体１０は、防炎防水表面フッソ加工が施された可撓性を有するポリエステルのシートからなっており、下通路ボックス３０の上部に被せられて着けられている。また、遮断シート本体１０は、段部３の上面３ａ及び側面３ｂに被せられ着けられており、遮断シート本体１０は、段部３の上面３ａの上方に当たる位置に、上下に切り込まれて形成された上通路出入口１１を有している。この上通路出入口１１は、その上通路出入口１１を開閉させるファスナー１２を有している。
【００１３】
本体展張部２０は、防炎防水特殊加工が施された可撓性を有するナイロンのシートからなっており、本体展張部２０が膨張された状態では、その外周面はトンネル１のトンネル本体２の内面２ａに隙なく密着されている。
【００１４】
筒状の本体展張部２０の一端部（即ち段部３側の端部）の側面には、二個の空気出入口２０ａ、２０ｂが空気充填空間Ｓ１に連通するように貫通形成されている。この二個の空気出入口２０ａ、２０ｂの内、一方の空気出入口２０ａには、図示しない圧入空気流量の大きな展張用空気圧入機が接続される展張用空気圧入機接続ソケット２１が設けられており、他方の空気出入口２０ｂには、比較的圧入空気流量の小さな圧力維持用空気圧入機４０が接続される圧力維持用空気圧入機接続ソケット２２が設けられている。また、本体展張部２０の一端部（即ち段部３側の端部）には、図３に示すように、筒状の連結金具２４が嵌着されており、この連結金具２４に、前出の固定基板２７が密着されボルト止めされている。本体展張部２０の他端部にも、筒状の連結金具２５が嵌着されており、この連結金具２５に、前出の固定基板２８が密着されボルト止めされている。また、本実施形態では、本体展張部２０の両端は閉じられている。
【００１５】
各固定基板２７、２８は、それぞれ耐水ベニア板２７ａ、２８ａと、耐水ベニア板２７ａ、２８ａに重ね合わされた滑り止め兼パッキンとしてのゴム板２７ｂ、２８ｂとからなっており、一方の固定基板２７のゴム板２７ｂは、図２に示すように段部３の上面３ａに密着されている。これにより、本体展張部２０の一端部は固定されている。他方の固定基板２８のゴム板２８ｂは、下通路ボックス３０の後述する筒体３１の側面に密着されており、これにより、本体展張部２０の他端部は固定されている。
【００１６】
下通路ボックス３０は、四面の耐水ベニアとアルミフレームとから長方形断面の筒状に形成された筒体３１と、筒体３１の開放端を被覆する通路ボックス用遮断シート３２とからなっており、通路ボックス用遮断シート３２は、防炎防水表面フッソ加工が施された可撓性を有するポリエステルのシートからなっている。また、通路ボックス用遮断シート３２は、上下に切り込まれて形成された下通路出入口３２ａを有している。この下通路出入口３２ａは、その下通路出入口３２ａを開閉させるファスナー３３を有している。
【００１７】
通風遮断シート装置１００等は以上のような構成を有するので、まず、通風遮断シート装置１００を図１のトンネル１の通風遮断位置Ｐ１に施工する場合には、本体展張部２０の空気出入口２０ａ、２０ｂ等を通じて空気充填空間Ｓ１から空気を抜き、本体展張部２０を収縮させ、本体展張部２０及び遮断シート本体１０を折り畳んでおく。すると、通風遮断シート装置１００を小さく纏めることができるので、通風遮断シート装置１００の通風遮断位置Ｐ１までの運搬を容易且つ迅速に行なうことができる。
【００１８】
通風遮断シート装置１００を通風遮断位置Ｐ１までの運搬したなら、その下通路ボックス３０を、トンネル本体２の内面２ａの底面及び段部３の側面３ｂに密着させて固定し、その下通路ボックス３０の側面の下部に本体展張部２０の端部に設けられた固定基板２８を固定する。これにより、本体展張部２０の端部をトンネル１の通風遮断位置Ｐ１に対して固定することができる。また、固定基板２８は、そのゴム板２８ｂにより密着されるので、滑りが防止されると共に気密性が確保される。
【００１９】
また、本体展張部２０のもう一方の端部に設けられた固定基板２７を、段部３の上面３ａの内面２ａ側に密着させて固定する。これにより、本体展張部２０のもう一方の端部をトンネル１の通風遮断位置Ｐ１に対して固定することができる。
この固定基板２７も、そのゴム板２７ｂにより密着されるので、滑りが防止されると共に気密性が確保される。
【００２０】
そこで、本体展張部２０の展張用空気圧入機接続ソケット２１に、展張用空気圧入機（図示略）を接続して、本体展張部２０の空気充填空間Ｓ１に空気を充填する。すると、本体展張部２０は、一方の固定基板２７と他方の固定基板２８との間で上に凸に湾曲した円弧を形成するように膨張され展開される。そして、本体展張部２０の外周面は、通風遮断位置Ｐ１のトンネル１の内面２ａに図２に示すように隙なく密着され、これに伴い、周縁が本体展張部２０の内周に接続されている遮断シート本体１０が展開されて張られる。これにより、通風遮断位置Ｐ１における通風遮断シート装置１００の建て込みを容易且つ迅速に行なうことができる。また、本体展張部２０を空気で膨張させてその本体展張部２０及び遮断シート本体１０を展開させるので、トンネル断面、即ち遮断断面積が大きくとも、その大きさに本体展張部２０及び遮断シート本体１０の寸法を合わせておけば、容易且つ迅速な建て込みが可能である。
【００２１】
そして、上通路出入口１１と下通路出入口３２ａをファスナ１２、３３で閉じておけば、このように建て込まれた通風遮断シート装置１００により通風遮断位置Ｐ１の通風を遮断することができる。この通風遮断シート装置１００では、本体展張部２０の膨張により、本体展張部２０の外周面が、通風遮断位置Ｐ１のトンネル１の内面２ａに隙なく密着され、本体展張部２０の一端の固定基板２７がトンネル１の段部３の上面３ａに密着され、段部３の側面３ｂに密着された下通路ボックス３０に、本体展張部２０の他端の固定基板２８が密着されるので、隙間からの吹き抜けを従来に増して防止することができる。よって、その通風の遮断性能は従来に比して高い。
【００２２】
このように、通風遮断シート装置１００は、運搬を容易且つ迅速に行なうことができ、本体展張部２０の空気充填空間Ｓ１に空気を充填するという簡便な作業で本体展張部２０及び遮断シート本体１０を展開して建て込むことができるので、遮断断面積が大きくとも容易且つ迅速に施工することができる。
【００２３】
施工後には、本体展張部２０の展張用空気圧入機接続ソケット２１から展張用空気圧入機（図示略）を外し、圧力維持用空気圧入機接続ソケット２２に圧力維持用空気圧入機４０を接続して起動させる。すると、圧力維持用空気圧入機４０は、本体展張部２０の空気充填空間Ｓ１の空気圧を一定に維持するので、本体展張部２０の膨張が維持される。よって、長期に亘って通風遮断位置Ｐ１での本体展張部２０の密着を維持できるので、通風の遮断性能を更に向上することができる。
【００２４】
また、上通路出入口１１と下通路出入口３２ａが設けられているので、ファスナ１２、３３で上通路出入口１１又は下通路出入口３２ａを開閉することで、通風遮断シート装置１００の内外への往来を、通風の遮断を維持しつつ容易に行なうことができる。
【００２５】
また、通風遮断シート装置１００の撤去に際しては、本体展張部２０の空気充填空間Ｓ１から空気を抜いて本体展張部２０を収縮させ、その本体展張部２０及び遮断シート本体１０を折り畳むことで、通風遮断シート装置１００を小さく纏めることができるので、撤去を容易且つ迅速に行なうことができる。
【００２６】
尚、上記実施形態では、トンネル１の断面形状に応じて、本体展張部２０を円形、楕円形、更には四角形等の他の形状に形成する構成としてもよい。
【００２７】
また、上記実施形態では、遮断シート本体１０は、防炎防水表面フッソ加工が施された可撓性を有するポリエステルのシートからなっており、本体展張部２０は、防炎防水特殊加工が施された可撓性を有するナイロンのシートからなっているとしたが、遮断シート本体１０と本体展張部２０のいずれか一方又は双方を、熱可塑性ポリウレタンを積層したウレタン加工布で形成する構成としてもよい。ウレタン加工布は薄くても十分な強度を有し、非通気性が高く、また柔軟性に富み温度依存性が小さく耐寒性が優れている他、経時変化が小さく上記効果の信頼性が高い、また、製造面においても高周波溶接機による溶着加工が出来、接合強度が高く空気漏れを防ぐという特長を有している。このため、この実施形態では、上記実施形態に増して、空気の遮断性及び信頼性を向上させることができる。
【００２８】
また、図３の上記実施形態において、本体展張部２０の端部外周には、連結金具２４（或いは２５）に代えて、上記ウレタン加工布などのシートからなり、図４に示すように基端側に先細りの筒状をなす袴状シート１２４（或いは１２５）を周設させ、その基端部を溶着などで接着させることとし、固定基板２７（或いは２８）には、先端外周に突起２７ｄ（或いは２８ｄ）が周設された環状のアングル材２７ｃ（或いは２８ｃ）を設け、このアングル材２７ｃ（或いは２８ｃ）の先端部の内周面に本体展張部２０の端部を嵌合させ、アングル材２７ｃ（或いは２８ｃ）の先端部の外周面に袴状シート１２４（或いは１２５）を被着させる構成としてもよい。尚、袴状シート１２４（或いは１２５）の被着は、その突起２７ｄ（或いは２８ｄ）の下に当たる部分を縛るなどの方法で行なう。これにより、上記実施形態に増して、気密性を向上させることができる。
【００２９】
また、図１の実施形態では、圧力維持手段として圧力維持用空気圧入機４０を設けたが、圧力維持用空気圧入機４０に代えて、送風機にしてもよい。
【００３０】
【発明の効果】
請求項１記載の発明によれば、本体展張部の空気充填空間から空気を抜いて折り畳むことができるので、トンネルの坑口等の通風遮断位置までの運搬が容易である。また、その通風遮断位置で固定基板を対象物内面に密着させて本体展張部の空気充填空間に空気を充填すると、本体展張部が膨張され展開されると共に遮断シート本体が展張され、通風遮断位置の通風を遮蔽するので、遮断断面積が大きくとも容易且つ迅速に施工することができる。また、本体展張部の空気充填空間から空気を抜くことで、本体展張部及び遮断シート本体を折り畳むことができるので、撤去を容易且つ迅速に行なうことができる。
【００３１】
また、固定基板が対象物内面に密着するとともに、本体展張部が膨張されて通風遮断位置の内面に密着するので、隙間からの吹き抜けを防止することができる。従って、通風の遮断性能の向上を図ることができる。
【００３２】
請求項２記載の発明によれば、上記効果に加えて、本体展張部の膨張が維持されるので、長期に亘って本体展張部と通風遮断位置の内面との密着を維持できる。よって、通風の遮断性能を更に向上することができる。
請求項３記載の発明によれば、上記効果に加えて、固定基板を対象物内面に密着させることによりその表面のゴム板によって自ずと滑りが防止されかつ気密性を十分に確保し得る。
請求項４記載の発明によれば、上記効果に加えて、単純な円形断面ではないトンネルを対象物とする場合であってもトンネル内面全体を確実に通風遮断することができ、かつ通路ボックスにより通路を支障なく確保することができる。
【図面の簡単な説明】
【図１】  本発明の通風遮断シート装置の一実施形態を示す斜視図である。
【図２】  図１の通風遮断シート装置の正面図である。
【図３】  図１の通風遮断シート装置の固定基板と本体展張部との接合の一実施形態を示す図である。
【図４】  通風遮断シート装置の固定基板と本体展張部との接合の別の実施形態を示す図である。
【符号の説明】
１  トンネル（対象物）
２ａ  トンネルの内面（対象物内面）
３  段部
３ａ  段部の上面
３ｂ  段部の側面
１０  遮断シート本体
２０  本体展張部
２０ａ  空気出入口
２０ｂ  空気出入口
２７，２８  固定基板
２７ｂ,２８ｂ  ゴム板
３０  下通路ボックス（通路ボックス）
３２  通路ボックス用遮断シート（シート）
４０  圧力維持用空気圧入機（圧力維持手段）
１００  通風遮断シート装置
Ｓ１  空気充填空間
【図１】
0003682503.tif 000002
【図２】
0003682503.tif 000003
【図３】
0003682503.tif 000004
【図４】
0003682503.tif 000005